(57)【要約】【課題】商品見本の配置における自由度を向上させて、ユーザに商品をより強く訴求できる自動販売機を提案する。【解決手段】前扉の前面パネル１１の内側に商品見本ＳＡを展示するための展示部１２を備えている自動販売機１０であって、前記展示部１２の背部側に当該展示部を区画する背面板３０を有し、前記背面板３０はその前面全体から発光する自発光型の発光板として形成されており、前記商品見本ＳＡは、前記背面板の前側に、段違い配置及び斜めの配置の少なくとも一方を含んで、展示されている。【選択図】図１
2014021698.tif 000002
【特許請求の範囲】
【請求項１】
前扉の前面パネルの内側に商品見本を展示するための展示部を備えている自動販売機であって、
前記展示部の背部側に当該展示部を区画する背面板を有し、前記背面板はその前面全体から発光する自発光型の発光板として形成されており、
前記商品見本は、前記背面板の前側に、段違い配置及び斜めの配置の少なくとも一方を含んで、展示されている、ことを特徴とする自動販売機。
【請求項２】
前記背面板は、端部に配置される光源からの光を導入して前面を発光させる導光板、又は、複数の発光素子を表面全体に配置してある発光基板を含む、ことを特徴とする請求項１に記載の自動販売機。
【請求項３】
前記背面板の発光状態を制御する制御手段を備え、
予め設定してある発光パターンに基づいて前記制御手段が前記導光板、又は前記基板の発光を制御する、ことを特徴とする請求項２に記載の自動販売機。
【請求項４】
前記商品見本が配置されていない領域が設けられ、当該領域にポップ広告を配置してある、ことを特徴とする請求項１から３のいずれに記載の自動販売機。
【発明の詳細な説明】
【技術分野】
【０００１】
本発明は、展示部にて展示される商品見本（ダミー）配置の自由度、更には商品見本と一緒に展示部内に配置されるポスターなどのポップ（ＰＯＰ）広告も考慮した場合の配置の自由度を向上させ、ユーザ（購入期待者）に商品をより強く訴求できるよう改善した自動販売機に関する。
【背景技術】
【０００２】
従来から、自動販売機で販売する商品をユーザに訴求するための宣伝、広告については、種々の提案されている。自動販売機は、通常、その前面に一定の展示部用スペースが設けられており、その展示部内に販売する商品の見本が配置されている。よって、ユーザは展示された商品見本を確認して、所望の商品を購入できる。
ところで、商品見本には、ユーザに商品の存在を訴えて、購買意欲を喚起するという機能もある。そこで、展示する商品見本がより目立つ様に、展示の形態が工夫されている。そして、横一列に並べられた、飲料やたばこの商品見本の下側近傍などに蛍光灯を設置して、商品見本を照明して展示するものは良く知られているところである（例えば、特許文献１、参照）。これにより、商品見本をライトアップし、ユーザが商品見本を確認し易くすると共に、見栄えを良くしている。
【先行技術文献】
【特許文献】
【０００３】
【特許文献１】特開２００９−１５５４１号公報
【発明の概要】
【発明が解決しようとする課題】
【０００４】
従来の自動販売機では、上記のように照明装置として蛍光灯を採用し、商品見本の配置は水平な直線状とするのが一般的であった。そして、商品見本が多数あって、列が多段となった場合には、配置する蛍光灯もこれに応じて多段に設けられていた。また、商品見本と共に展示部内には、商品のポスターなどが配置される場合もあるが、このポスターを照明するためにも蛍光灯が採用されていた。
なお、近年にあっては、照明装置として蛍光灯に替えてＬＥＤ等が採用される場合もあるが、このような自動販売機でも蛍光灯の場合にならって、商品見本の配置は水平な直線状となっている。
【０００５】
上記のように蛍光灯などの照明装置を採用した、従来一般的な自動販売機では、商品見本の配列手法が限定的であった。すなわち、複数の商品見本を直線状の一列に配置し、これを多段とした形態である。しかし、これでは、商品見本の配列に自由度が乏しく、いずれの自動販売機でも同じような配列では、ユーザに商品を訴求する効果が薄れてしまう。
また、商品見本と共に、ポスターも展示部に配置した場合、商品見本の各段およびポスター用のそれぞれに照明装置を設ける必要があるので構造が重厚となり、製造コストが増加することにもなる。
【０００６】
よって、本発明の目的は、従来の自動販売機に対して、簡単な変更で、商品見本の配置における自由度を向上させて、ユーザに商品をより強く訴求できる自動販売機を提案することにある。
【課題を解決するための手段】
【０００７】
上記目的は、前扉の前面パネルの内側に商品見本を展示するための展示部を備えている自動販売機であって、
前記展示部の背部側に当該展示部を区画する背面板を有し、前記背面板はその前面全体から発光する自発光型の発光板として形成されており、
前記商品見本は、前記背面板の前側に、段違い配置及び斜めの配置の少なくとも一方を含んで、展示されている、ことを特徴とする自動販売機により達成される。
【０００８】
そして、前記背面板は、端部に配置される光源からの光を導入して前面を発光させる導光板、又は、複数の発光素子を表面全体に配置してある発光基板を含むことができる。
【０００９】
また、前記背面板の発光状態を制御する制御手段を備え、
予め設定してある発光パターンに基づいて前記制御手段が前記導光板、又は前記基板の発光を制御するようにするのがより好ましい。
【００１０】
また、前記商品見本が配置されていない領域が設けられ、当該領域にポップ広告を配置することができる。
【発明の効果】
【００１１】
本発明によると、展示部を区画する背面板がその前面全体から発光する自発光型の発光板として形成されているので、この背面板の前側に段違いでの配置、更には斜めでの配置など自由な配置としても、いずれの商品見本も背部から同様に照明できる。よって、商品見本の配置を自由に行って、斬新な商品見本の配置によりユーザに商品を訴求できる。
【図面の簡単な説明】
【００１２】
【図１】本発明が適用された、たばこ自動販売機について示した図である。
【図２】本発明の自動販売機の背面板として、採用可能な自発光型の発光板の例を説明するために示した図である。
【図３】本発明の自動販売機で、背面板の発光を制御する構成例を示したブロック図である。
【発明を実施するための形態】
【００１３】
以下、図面を参照して、本発明の実施形態を説明する。
図１は、本発明が適用された一実施形態として、たばこ自動販売機１０について示した図である。この自動販売機１０は一般的な自動販売機と同様の基本構造を備えている。すなわち、自動販売機１０の前扉１０ａには前面パネル１１が設けてある。この前面パネル１１の内側には複数のシガレットの商品見本ＳＡを提示する展示部１２が設けてある。
そして、自動販売機１０は商品払出口１３および金銭処理部１４を備えている。前記金銭処理部１４は、コイン投入口、紙幣投入口、釣り銭返却レバー等を備えて構成してある。また、図中１５は釣り銭返却口であり、また１６は電子情報入出力装置（リーダ・ライタ）や金額表示器等を備えて構成された成人識別装置である。なお、複数の商品見本ＳＡそれぞれの下側には、ユーザが商品（たばこ）を購入する際に押圧する商品選択ボタン１７が設けてある。
【００１４】
ここで、この自動販売機１０における展示部１２に配置した商品見本ＳＡの配列状態を見ると、従来の自動販売機における商品見本の配置とは大きく相違している。すなわち、従来の自動販売機では商品見本が水平な横一列で一端から他端まで等間隔で配置され、その列が多段とされて平行に配置された単純なものであった。
上記のような単純な配置に対して、図１における展示部１２内の商品見本ＳＡの配置は、極めて斬新であることが一目で分かる。
先ず、矢印ＡＲ−１で示す左上の領域と、矢印ＡＲ−２で示す右上の領域は全く異なる展示形態となっている。左上の領域は従来と同様に商品見本を一定間隔で配置してあり、右上の領域では売れ筋の商品やお勧め商品を目立つように囲った展示としてある。そして、左右領域ＡＲ−１、ＡＲ−２での商品見本ＳＡや商品選択ボタン１７の高さ位置はずれている。
なお、従来のように照明装置として蛍光灯を採用した場合、その蛍光灯に沿って商品見本を配置するので、少なくとも蛍光灯一本分の長さ範囲内で、商品見本の高さ位置を変更することはない。これは、商品見本を段違いや斜めの配置などにすると、蛍光灯と商品見本との距離の違いで照度が変化し、商品見本に明暗が生じてしまう。そのため、商品見本は蛍光灯に沿って配置されていた。
【００１５】
下線付きＡＲ−３で示した中央の大きな領域では、その上下に配置された２本の商品見本の列が特徴的である。上側の商品見本の列ＵＬは左側が水平、途中で右下がりとなり、右側で水平となっている。下側の商品見本の列ＬＬは左側が水平、途中で右上がりとなり、右側で水平となっている。このように途中に、商品見本の斜めの配置が含まれている。
この中央領域ＡＲ−３では、上記のように商品見本を配置した結果として、左側に大きなスペースを形成できる。このスペースに商品のポップ（ＰＯＰ）広告２０が設けてある。このポップ広告２０は、紙に印刷したポスターやフィルム状の素材に印刷を施したものなどを適宜に採用できる。
【００１６】
更に、下線付きＡＲ−４で示した下側領域では、商品見本の列の途中で段違いとする場合の形態を例示している。このように段違いとしただけでも、商品見本の配置に斬新さを与えることができる。また、左下の商品見本が銘柄（ブランド）Ｘのファミリー、右上に上がった商品見本が銘柄（ブランド）Ｙのファミリーとすれば、目立たせることができるので、単なる、直線状の配置よりユーザに商品を強く訴求できる。
【００１７】
上記のように商品見本を、自由度を持って配置するため、展示部１２の背部側には、展示部を区画する新規な背面板３０が設けてある。この背面板３０は、その前面全体から発光する自発光型の発光板として形成してある。背面板３０は、これより後ろ側（自動販売機の本体部側）と、前扉１０ａに設けられる透明な前面パネル１１との間に形成される展示部空間を区画するように配置される。
上記背面板３０として採用する自発光型の発光板は、少なくともその前面全体が発光可能な板状部材であれば、特に限定する必要はなく、公知のものを適宜に採用してよい。前面全体から発光する自発光型の発光板を背面板として採用することで、その前に配置される商品見本やポップ広告を背後全体から同様に照明できるので、蛍光灯などの照明装置を採用していた従来タイプと比較して、自由度を持った配置を行える。すなわち、図1で示すように、従来困難であった、商品見本ＳＡの段違い配置や斜め配置などを行って、ユーザに斬新なイメージを与える展示を行える。また、任意の位置に、商品見本を展示しないスペースを形成して、ポップ広告を展示できる。そして、ポップ広告用の照明装置を設ける必要もない。
【００１８】
図２（ａ）、（ｂ）は、上記背面板３０に採用できる自発光型の発光板ついて２つの例を説明するために示した図である。なお、図２では、先に図１で示した自動販売機１０の展示部１２は分割されていない１つの展示空間として形成してあり、その背面板３０もこれに応じた形状としてある。図１の展示部１２の形状は、右上部が一部突出した形状であるので、背面板３０もこれに対応した形状で例示している。ただし、展示部の背部を区画する背面板の形状は、デザイン設計に応じて適宜に変更してよいことは、改めて言うまでもない。
図２（ａ）は、一部を拡大して示すように複数のＬＥＤ（Light Emitting Diode）３１を発光源として構成した自発光型の基板による背面板３０である。発光素子としてのＬＥＤ３１によるチップをベース基板上に均一に配置して背面板３０が形成される。ＬＥＤ３１は白色光のみを発光する発光素子でもよいが、カラー光を発光可能な発光素子を採用するのがより好ましい。カラー光が発光可能であれば、商品見本やポップ広告を色々な色で照明して、商品の訴求効果を高めることができる。
なお、上記のＬＥＤは後述するように、本自動販売機の本体（図示せず）側に配置された既存のコントローラを流用して制御するのが好ましい。
【００１９】
また、図２（ｂ）は、導光板３２を用いて背面板３０を形成した場合である。導光板３２の一端３２ａが光導入用の端部であり、この端部３２ａに対向して長手状の光源３３が配置してある。光源３３としては、例えば冷陰極管やＬＥＤを採用できる。導光板３２の基板本体は例えばアクリル製であり、その背面（自動販売機本体側面）側には反射シートなど光を反射させる構造が設けてある。このような構造により、導光板３２の前面側（前面パネル側）全体を発光させることができる。この例での光源３３についても、カラー光が発光可能なものを用いるのが好ましく、この場合も本自動販売機の本体（図示せず）側に配置された既存のコントローラを流用して制御すればよい。
【００２０】
前述した自動販売機１０は、ＣＰＵを中心に構成したコントローラ（マイクロコンピュータ）等により構成され、自動販売機全体を制御する制御部（制御手段）を備えている。このような制御部を備える点は、従来の自動販売機と同様である。この制御部により、前述した背面板３０の発光状態を制御するようにすればよい。メモリに所定の発光パターンを予め記憶しておき、制御部がこれに基づいて発光を制御するようにすればよい。
図３は、ＬＥＤを配置して形成した背面板３０を制御する場合の構成例を示したブロック図である。制御部ＣＮはメモリＭＥを備え、このメモリＭＥに背面板３０の発光状態を制御するプログラムが予めセットされている。このようなプログラムとして、ポップ広告の背面のＬＥＤをカラーで多彩に変化させるもの、また新商品、お勧め商品の見本を示す領域ＡＲ−２（図１参照）の輝度を定期的に変化させるものなど、提示形態として種々が設定可能である。
なお、より好ましい形態として、図３で示すように所定センサＳＥの出力を加味して、制御部ＣＮがＬＥＤ背面板３０の発光をするようにしてもよい。例えばセンサＳＥが人（ユーザ）等の接近を検出する人感センサである場合、ユーザ等が接近してきたときは、予め準備したプログラムに基づいて、より派手で、目立つ発光を実行するなど、としてもよい。
【００２１】
以上で説明した、本発明に係る自動販売機では、前面全体から発光する自発光型の背面板を採用したので展示部の全体を均一に明るくできるので、商品見本を段違いや斜めに配置としてもいずれの商品見本も均一に照明することが可能である。よって、本発明に係る自動販売機によれば、ユーザに斬新なイメージを与えて商品を訴求できる。同様に、展示部内に配置するポップ広告も自由度を持って配置することができる。
上記では、本発明をたばこの自動販売機について適用する場合を詳細に説明したが、本発明は前述した実施例による説明で限定されない。すなわち、本発明はその要旨を逸脱しない範囲で種々変更して実施することができる。
【符号の説明】
【００２２】
１０                                  自動販売機
１０ａ                                前扉
１１                                  前面パネル
１２                                  展示部
２０                                  ポップ広告
３０                                  背面板
ＣＮ                                  制御部
ＡＲ−１〜ＡＲ−４                    展示部内の領域
ＳＡ                                  商品見本
【図１】
2014021698.tif 000003
【図２】
2014021698.tif 000004
【図３】
2014021698.tif 000005